(57)【特許請求の範囲】
【請求項１】
受信した電波に含まれる無線タグ識別子が管理対象とする無線タグの無線タグ識別子であるか否かを判定する無線タグ識別子判定部と、
前記電波の電波強度を測定する電波強度測定部と、
前記電波強度の強い方向に携帯端末が向けられ、前記電波に含まれる無線タグ識別子が前記管理対象とする無線タグの無線タグ識別子であると前記無線タグ識別子判定部が判定した場合に連続して撮影させ、前記管理対象とする無線タグを所持する見守り対象者の顔を含む連続して撮影された画像を取得する顔画像取得部と、
前記顔画像取得部が取得した前記見守り対象者の顔を含む連続して撮影された画像を前記管理対象とする無線タグの無線タグ識別子に関連付けされた通信装置に送信する顔画像送信部と、
を備える携帯端末。
【請求項２】
前記顔画像取得部は、
前記電波に含まれる無線タグ識別子が前記管理対象とする無線タグの無線タグ識別子であると前記無線タグ識別子判定部が判定した場合に、前記見守り対象者の顔を含む画像の撮影を開始し取得する、
請求項１に記載の携帯端末。
【請求項３】
前記顔画像取得部は、
前記電波に含まれる無線タグ識別子が前記管理対象とする無線タグの無線タグ識別子であると前記無線タグ識別子判定部が判定した場合に、連続して撮影していた前記見守り対象者の顔を含む画像を有効にすることにより取得する、
請求項１に記載の携帯端末。
【請求項４】
前記顔画像取得部は、
受信した前記見守り対象者の顔画像の顔を含む画像を取得する、
請求項１から請求項３の何れか一項に記載の携帯端末。
【請求項５】
前記顔画像送信部は、
前記顔画像取得部が取得した前記見守り対象者の顔を含む画像が、受信した前記見守り対象者の顔画像の顔を含むと判定した場合に、前記見守り対象者の顔を含む画像を通信装置に送信する、
請求項１から請求項３の何れか一項に記載の携帯端末。
【請求項６】
前記顔画像送信部は、
前記顔画像取得部が取得した前記見守り対象者の顔を含む画像が、受信した前記見守り対象者の顔画像の顔を含むと判定した後、所定時間経過した場合にのみ前記見守り対象者の顔を含む画像を通信装置に送信する、
請求項１から請求項５の何れか一項に記載の携帯端末。
【請求項７】
管理装置と、１つまたは複数の無線タグと、１つまたは複数の携帯端末と、を備える見守りシステムであって、
前記管理装置は、
管理対象とする無線タグの無線タグ識別子を前記携帯端末に送信する無線タグ識別子送信部、
を備え、
前記無線タグのそれぞれは、
それぞれの前記無線タグ識別子を含む電波を送信する電波送信部、
を備え、
前記携帯端末のそれぞれは、
前記電波送信部から受信した前記電波に含まれる無線タグ識別子が前記無線タグ識別子送信部から受信した管理対象とする無線タグの無線タグ識別子であるか否かを判定する無線タグ識別子判定部と、
前記電波の電波強度を測定する電波強度測定部と、
前記電波強度の強い方向に前記携帯端末が向けられ、前記電波に含まれる無線タグ識別子が前記管理対象とする無線タグの無線タグ識別子であると前記無線タグ識別子判定部が判定した場合に連続して撮影させ、前記管理対象とする無線タグを所持する前記見守り対象者の顔を含む連続して撮影された画像を取得する顔画像取得部と、
前記顔画像取得部が取得した前記見守り対象者の顔を含む連続して撮影された画像を前記管理対象とする無線タグの無線タグ識別子に関連付けされた通信装置に送信する顔画像送信部と、
を備える見守りシステム。
【請求項８】
受信した電波に含まれる無線タグ識別子が管理対象とする無線タグの無線タグ識別子であるか否かを判定し、
前記電波の電波強度を測定し、
前記電波強度の強い方向に携帯端末が向けられ、前記電波に含まれる無線タグ識別子が前記管理対象とする無線タグの無線タグ識別子であると判定した場合に連続して撮影させ、前記管理対象とする無線タグを所持する見守り対象者の顔を含む連続して撮影された画像を取得し、
取得した前記見守り対象者の顔を含む連続して撮影された画像を前記管理対象とする無線タグの無線タグ識別子に関連付けされた通信装置に送信する、携帯端末の制御方法。
【請求項９】
管理対象とする無線タグの無線タグ識別子を携帯端末に送信し、
それぞれの前記無線タグ識別子を含む電波を送信し、
受信した前記電波に含まれる無線タグ識別子が受信した前記管理対象とする無線タグの無線タグ識別子であるか否かを判定し、
前記電波の電波強度を測定し、
前記電波強度の強い方向に前記携帯端末が向けられ、前記電波に含まれる無線タグ識別子が前記管理対象とする無線タグの無線タグ識別子であると判定した場合に連続して撮影させ、前記管理対象とする無線タグを所持する見守り対象者の顔を含む連続して撮影された画像を取得し、
取得した前記見守り対象者の顔を含む連続して撮影された画像を前記管理対象とする無線タグの無線タグ識別子に関連付けされた通信装置に送信する、見守り方法。
【請求項１０】
コンピュータを、
受信した電波に含まれる無線タグ識別子が管理対象とする無線タグの無線タグ識別子であるか否かを判定する無線タグ識別子判定手段、
前記電波の電波強度を測定する電波強度測定手段、
前記電波強度の強い方向に携帯端末が向けられ、前記電波に含まれる無線タグ識別子が前記管理対象とする無線タグの無線タグ識別子であると前記無線タグ識別子判定手段が判定した場合に連続して撮影させ、前記管理対象とする無線タグを所持する見守り対象者の顔を含む連続して撮影された画像を取得する顔画像取得手段、
前記顔画像取得手段が取得した前記見守り対象者の顔を含む連続して撮影された画像を前記管理対象とする無線タグの無線タグ識別子に関連付けされた通信装置に送信する顔画像送信手段、
として機能させるプログラム。
【発明の詳細な説明】
【技術分野】
【０００１】
本発明は、携帯端末、見守りシステム、携帯端末の制御方法、見守り方法及びプログラムに関する。
【背景技術】
【０００２】
ＧＰＳ（Ｇｌｏｂａｌ  Ｐｏｓｉｔｉｏｎｉｎｇ  Ｓｙｓｔｅｍ）機能を有する携帯端末がある。幼稚園児や小学生などの子供にＧＰＳ機能を有する携帯端末を所持させることにより、親は子供の現在位置をパーソナルコンピュータなどの通信装置に表示させることで知ることができる。
特許文献１には、関連する技術として、所定位置で撮影された子供の画像中から管理対象の子供のランドセル、帽子、及び、ニックネームなどの特徴に基づいて子供を識別し、子供の行動を検知して通知する技術が記載されている。
【先行技術文献】
【特許文献】
【０００３】
【特許文献１】特開２００７−１５７００５号公報
【発明の概要】
【発明が解決しようとする課題】
【０００４】
ところで、親は所定位置に子供がいることを通知される場合に、子供の特徴を示すランドセル、帽子、及び、ニックネームで識別するだけでは、本当に自分の子供であるか確信が持てず、不安を抱く可能性がある。
【０００５】
そこで、この発明は、上記の課題を解決することのできる携帯端末、見守りシステム、携帯端末の制御方法、見守り方法及びプログラムを提供することを目的としている。
【課題を解決するための手段】
【０００６】
上記目的を達成するために、本発明は、受信した電波に含まれる無線タグ識別子が管理対象とする無線タグの無線タグ識別子であるか否かを判定する無線タグ識別子判定部と、前記電波の電波強度を測定する電波強度測定部と、前記電波強度の強い方向に携帯端末が向けられ、前記電波に含まれる無線タグ識別子が前記管理対象とする無線タグの無線タグ識別子であると前記無線タグ識別子判定部が判定した場合に連続して撮影させ、前記管理対象とする無線タグを所持する見守り対象者の顔を含む連続して撮影された画像を取得する顔画像取得部と、前記顔画像取得部が取得した前記見守り対象者の顔を含む連続して撮影された画像を前記管理対象とする無線タグの無線タグ識別子に関連付けされた通信装置に送信する顔画像送信部と、を備える携帯端末である。
【０００８】
また、本発明は、管理装置と、１つまたは複数の無線タグと、１つまたは複数の携帯端末と、を備える見守りシステムであって、前記管理装置は、管理対象とする無線タグの無線タグ識別子を前記携帯端末に送信する無線タグ識別子送信部、を備え、前記無線タグのそれぞれは、それぞれの前記無線タグ識別子を含む電波を送信する電波送信部、を備え、前記携帯端末のそれぞれは、前記電波送信部から受信した前記電波に含まれる無線タグ識別子が前記無線タグ識別子送信部から受信した管理対象とする無線タグの無線タグ識別子であるか否かを判定する無線タグ識別子判定部と、前記電波の電波強度を測定する電波強度測定部と、前記電波強度の強い方向に前記携帯端末が向けられ、前記電波に含まれる無線タグ識別子が前記管理対象とする無線タグの無線タグ識別子であると前記無線タグ識別子判定部が判定した場合に連続して撮影させ、前記管理対象とする無線タグを所持する前記見守り対象者の顔を含む連続して撮影された画像を取得する顔画像取得部と、前記顔画像取得部が取得した前記見守り対象者の顔を含む連続して撮影された画像を前記管理対象とする無線タグの無線タグ識別子に関連付けされた通信装置に送信する顔画像送信部と、を備える見守りシステムである。
【０００９】
また、本発明は、受信した電波に含まれる無線タグ識別子が管理対象とする無線タグの無線タグ識別子であるか否かを判定し、前記電波の電波強度を測定し、前記電波強度の強い方向に携帯端末が向けられ、前記電波に含まれる無線タグ識別子が前記管理対象とする無線タグの無線タグ識別子であると判定した場合に連続して撮影させ、前記管理対象とする無線タグを所持する見守り対象者の顔を含む連続して撮影された画像を取得し、取得した前記見守り対象者の顔を含む連続して撮影された画像を前記管理対象とする無線タグの無線タグ識別子に関連付けされた通信装置に送信する、携帯端末の制御方法である。
【００１１】
また、本発明は、管理対象とする無線タグの無線タグ識別子を携帯端末に送信し、それぞれの前記無線タグ識別子を含む電波を送信し、受信した前記電波に含まれる無線タグ識別子が受信した前記管理対象とする無線タグの無線タグ識別子であるか否かを判定し、前記電波の電波強度を測定し、前記電波強度の強い方向に前記携帯端末が向けられ、前記電波に含まれる無線タグ識別子が前記管理対象とする無線タグの無線タグ識別子であると判定した場合に連続して撮影させ、前記管理対象とする無線タグを所持する見守り対象者の顔を含む連続して撮影された画像を取得し、取得した前記見守り対象者の顔を含む連続して撮影された画像を前記管理対象とする無線タグの無線タグ識別子に関連付けされた通信装置に送信する、見守り方法である。
【００１２】
また、本発明は、コンピュータを、受信した電波に含まれる無線タグ識別子が管理対象とする無線タグの無線タグ識別子であるか否かを判定する無線タグ識別子判定手段、前記電波の電波強度を測定する電波強度測定手段、前記電波強度の強い方向に携帯端末が向けられ、前記電波に含まれる無線タグ識別子が前記管理対象とする無線タグの無線タグ識別子であると前記無線タグ識別子判定手段が判定した場合に連続して撮影させ、前記管理対象とする無線タグを所持する見守り対象者の顔を含む連続して撮影された画像を取得する顔画像取得手段、前記顔画像取得手段が取得した前記見守り対象者の顔を含む連続して撮影された画像を前記管理対象とする無線タグの無線タグ識別子に関連付けされた通信装置に送信する顔画像送信手段、として機能させるプログラムである。
【発明の効果】
【００１４】
本発明によれば、親は、自分の子供の顔を含む画像で子供の存在を確認することができ、また、画像を子供の成長記録などの記念画像として収集することができる。
【図面の簡単な説明】
【００１５】
【図１】本発明の携帯端末の最小構成の一例を示す図である。
【図２】本発明の第一の実施形態による見守りシステムの概要を説明する図である。
【図３】本発明の第一の実施形態による無線タグの構成を示す図である。
【図４】本発明の第一の実施形態による携帯端末の構成を示す図である。
【図５】本発明の第一の実施形態による管理装置の構成を示す図である。
【図６】本発明の第一の実施形態による記憶部が記憶するデータテーブルを示す図である。
【図７】本発明の第一の実施形態による見守りシステムの処理フローを示す図である。
【図８】本発明の第二の実施形態による記憶部が記憶するデータテーブルを示す図である。
【図９】本発明の第二の実施形態による見守りシステムの処理フローを示す図である。
【発明を実施するための形態】
【００１６】
以下、図面を参照しながら実施形態について詳しく説明する。
本発明の携帯端末２０は、図１に示すように、少なくとも、無線タグ識別子判定部２０２と、顔画像取得部２０３と、顔画像送信部２０４と、を備える。
無線タグ識別子判定部２０２は、受信した電波に含まれる無線タグ識別子が管理対象とする無線タグの無線タグ識別子であるか否かを判定する。
顔画像取得部２０３は、電波に含まれる無線タグ識別子が管理対象とする無線タグの無線タグ識別子であると無線タグ識別子判定部２０２が判定した場合に、見守り対象者の顔を含む画像を取得する。
顔画像送信部２０４は、顔画像取得部２０３が取得した見守り対象者の顔を含む画像を管理対象とする無線タグの無線タグ識別子に関連付けされた通信装置に送信する。
【００１７】
＜第一の実施形態＞
第一の実施形態による見守りシステム１は、図２に示すように、無線タグ１０ａ、１０ｂ、１０ｃ、・・・と、携帯端末２０ａ、２０ｂ、２０ｃ、・・・と、管理装置３０と、通信装置４０と、を備える。なお、無線タグ１０ａ、１０ｂ、１０ｃ、・・・を総称して無線タグ１０と呼ぶ。また、携帯端末２０ａ、２０ｂ、２０ｃ、・・・を総称して携帯端末２０と呼ぶ。
管理装置３０は、管理対象とする無線タグの無線タグ識別子を携帯端末２０に送信する。
無線タグ１０のそれぞれは、それぞれの無線タグ識別子を含む電波を送信する。例えば、無線タグ１０のそれぞれは、ＢＬＥ（Ｂｌｕｅｔｏｏｔｈ（登録商標）  Ｌｏｗ  Ｅｎｅｒｇｙ）の機能を有しており、ＢＬＥの機能によるビーコン機能が発するＵＵＩＤ（Ｕｎｉｖｅｒｓａｌｌｙ  Ｕｎｉｑｕｅ  Ｉｄｅｎｔｉｆｉｅｒ）を含む短距離通信の電波を送信する。
携帯端末２０のそれぞれは、無線タグ１０が携帯端末２０との通信範囲に入ると、無線タグ識別子を含む電波を受信する。携帯端末２０のそれぞれは、受信した電波に含まれる無線タグ識別子が管理対象とする無線タグの無線タグ識別子であるか否かを判定する。携帯端末２０のそれぞれは、受信した電波に含まれる無線タグ識別子が管理対象とする無線タグ１０の無線タグ識別子であると判定した場合に、見守り対象者の顔を含む画像を取得する。携帯端末２０のそれぞれは、取得した見守り対象者の顔を含む画像を、管理対象とする無線タグの無線タグ識別子に関連付けされた通信装置４０に送信する。
携帯端末２０は、例えば、ＢＬＥの機能によるビーコン機能が発するＵＵＩＤを含む短距離通信の電波を受信可能なスマートフォンである。
管理装置３０は、携帯端末２０のそれぞれが見守り対象者の顔を含む画像を送信した通信装置４０を記憶部に記録する。
なお、無線タグ１０は、１つであってもよいし複数であってもよい。また、携帯端末２０は、１つであってもよいし、複数であってもよい。
【００１８】
次に、第一の実施形態による見守りシステム１が備える無線タグ１０の各機能部について説明する。
第一の実施形態による無線タグ１０のそれぞれは、図３に示すように、通信部１０１と、電波送信部１０２と、記憶部１０３と、を備える。
通信部１０１は、電波送信する。
電波送信部１０２は、それぞれの無線タグ１０を識別可能な無線タグ識別子を含む電波を通信部１０１を介して送信する。例えば、電波送信部１０２は、ＢＬＥの機能によるビーコン機能が発するＵＵＩＤを含む短距離通信の電波を通信部１０１を介して送信する。
記憶部１０３は、無線タグ１０が行う処理に必要な種々のデータを記憶する。
【００１９】
次に、第一の実施形態による見守りシステム１が備える携帯端末２０の各機能部について説明する。
第一の実施形態による携帯端末２０のそれぞれは、図４に示すように、通信部２０１と、無線タグ識別子判定部２０２と、顔画像取得部２０３と、顔画像送信部２０４と、記憶部２０５と、を備える。
なお、図４には、後述する顔画像特定部２０６と、報知部２０７と、電波強度測定部２０８の例も図示されている。
【００２０】
通信部２０１は、電波を受信する。また、通信部２０１は、電波を送信する。
無線タグ識別子判定部２０２は、通信部２０１を介して受信した電波に含まれる無線タグ識別子が、管理対象とする無線タグ１０の無線タグ識別子であるか否かを判定する。
【００２１】
顔画像取得部２０３は、通信部２０１が受信した電波に含まれる無線タグ識別子が管理対象とする無線タグ１０の無線タグ識別子であると無線タグ識別子判定部２０２が判定した場合に、見守り対象者の顔を含む画像を取得する。
また、顔画像取得部２０３は、電波に含まれる無線タグ識別子が管理対象とする無線タグ１０の無線タグ識別子であると無線タグ識別子判定部２０２が判定した場合に、見守り対象者の顔を含む画像の撮影を開始し取得する。
【００２２】
顔画像送信部２０４は、顔画像取得部２０３が取得した見守り対象者の顔を含む画像を通信部２０１を介して、管理対象とする無線タグ１０の無線タグ識別子に関連付けされた通信装置４０に送信する。
なお、顔画像送信部２０４は、見守り対象者の顔を含む画像を通信装置４０に送信した後、所定時間経過した場合にのみ当該見守り対象者の顔を含む画像を通信部２０１を介して通信装置４０に送信するものであってよい。
記憶部２０５は、携帯端末２０が行う処理に必要な種々のデータを記憶する。
【００２３】
次に、第一の実施形態による見守りシステム１が備える管理装置３０の各機能部について説明する。
第一の実施形態による管理装置３０のそれぞれは、図５に示すように、通信部３０１と、無線タグ識別子送信部３０２と、送信先管理部３０３と、記憶部３０４と、を備える。
【００２４】
通信部３０１は、電波を受信する。また、通信部３０１は、電波を送信する。
無線タグ識別子送信部３０２は、管理対象とする無線タグ１０の無線タグ識別子を通信部３０１を介して携帯端末２０に送信する。
送信先管理部３０３は、顔画像送信部２０４が見守り対象者の顔を含む画像を送信した通信装置４０を記憶部３０４に記録する。
記憶部３０４は、管理装置３０が行う処理に必要な種々のデータを記憶する。例えば、記憶部３０４は、管理対象とする無線タグ１０の無線タグ識別子を記憶する。また、例えば、記憶部３０４は、顔画像送信部２０４が見守り対象者の顔を含む画像を送信した送信先である通信装置４０を記憶する。
【００２５】
次に、第一の実施形態による記憶部３０４が記憶するデータテーブル１について説明する。
記憶部３０４は、図６に示すような、無線タグ１０の無線タグ番号に対応する無線タグ識別子を含むデータテーブルＴＢＬ１を記憶している。また、記憶部３０４は、無線タグ１０のそれぞれの無線タグ識別子と関連付けて幼稚園児と、無線タグ１０を所持する見守り対象者の顔を含む画像を送信する送信先である通信装置４０のアドレスと、管理対象であるか否かを示すフラグ（１は管理対象、０は管理対象外）と、通信装置４０に画像を送信したか否かを示すフラグ（１は送信済、０は未送信）と、画像の送信時刻と、を記憶している。図６に示すデータテーブルＴＢＬ１の場合、管理対象の無線タグ１０は、幼稚園児Ａが所持する無線タグＡと幼稚園児Ｂが所持する無線タグＡである。
【００２６】
次に、第一の実施形態による見守りシステム１の処理フローについて説明する。
ここでは、幼稚園の先生が教室の中央に置かれた幼稚園児の目線程度の高さの台に携帯端末２０を設置する。無線タグ１０を所持する各幼稚園児が外で遊んだ後、教室に戻る。教室に戻った幼稚園児が携帯端末２０に近づき、通信範囲に入ると、携帯端末２０は幼稚園児が所持する無線タグ１０から電波を受信し幼稚園児の顔を含む画像を取得する。携帯端末２０は、取得した画像を幼稚園児の親が所持する通信装置４０に送信する。このような場合を例に、図７に示すような、見守りシステム１の処理フローを説明する。
【００２７】
携帯端末２０には見守りシステム１の専用アプリケーションがインストールされている。専用アプリケーションには、予めすべてのクラスの幼稚園児が所持する無線タグ１０と、無線タグ１０の無線タグ識別子と、幼稚園児の氏名と、幼稚園児の親が所持する通信装置４０のアドレスと、管理対象であるか否かを示すフラグと、通信装置４０に画像を送信したか否かを示すフラグと、画像の送信時刻とが関連付けられて登録されている。このような状況で、幼稚園の先生は、自分が担当するクラスの幼稚園児のみを管理対象とするために、専用アプリケーションにより携帯端末２０の表示画面に示される幼稚園児の一覧から幼稚園児を選択して登録する操作を行う。すると、携帯端末２０は、専用アプリケーションにより、幼稚園の先生が選択した幼稚園児を示す識別情報を通信部２０１を介して管理装置３０に送信する。管理装置３０が備える無線タグ識別子送信部３０２は、携帯端末２０から受信した幼稚園児の識別情報に基づいて、記憶部３０４が記憶するデータテーブルＴＢＬ１において管理対象であることを示すフラグを１にすると共に、記憶部３０４から管理対象の無線タグ識別子と、管理対象の無線タグ識別子に関連付けられた通信装置４０のアドレスと、画像の送信時刻とを読み出す。無線タグ識別子送信部３０２は、記憶部３０４から読み出した管理対象である無線タグ識別子と、管理対象である通信装置４０のアドレスと、画像の送信時刻とから成る登録情報を携帯端末２０に送信する（ステップＳ１）。携帯端末２０は、管理装置３０から受信した登録情報に基づいて、専用アプリケーションを用いて管理対象である無線タグ１０を設定する（ステップＳ２）。例えば、携帯端末２０は、図６で示した管理対象を示すフラグが１である無線タグＡを所持する幼稚園児Ａと無線タグＢを所持する幼稚園児Ｂとを登録する。
幼稚園の先生は、教室の中央に置かれた幼稚園児の目線程度の高さの台に携帯端末２０を設置する。
【００２８】
無線タグ１０を所持する幼稚園児は教室の外で遊んでいる。このとき、無線タグ１０が備える電波送信部１０２は、それぞれの無線タグ１０を識別可能な無線タグ識別子を含む電波を通信部１０１を介して送信する（ステップＳ３）。例えば、電波送信部１０２は、ＢＬＥの機能によるビーコン機能が発するＵＵＩＤを含む短距離通信の電波を通信部１０１を介して送信する。
【００２９】
このような状況で、幼稚園の先生は、幼稚園児を教室に入る様に誘導する。幼稚園児は教室に入り教室内を移動する。管理対象である無線タグ１０を所持する幼稚園児が携帯端末２０に近づく。そして、幼稚園児が携帯端末２０にある距離まで近づくと、携帯端末２０が備える無線タグ識別子判定部２０２は、通信部２０１を介して、幼稚園児が所持する無線タグ１０が発する電波を受信する（ステップＳ４）。
【００３０】
そして、無線タグ識別子判定部２０２は、通信部２０１を介して受信した電波に含まれる無線タグ識別子が管理対象とする無線タグ１０の無線タグ識別子であるか否かを判定する（ステップＳ５）。例えば、無線タグ識別子判定部２０２は、管理対象として無線タグＡと無線タグＢを設定した場合、通信部２０１を介して受信した電波に含まれる無線タグ識別子が無線タグ識別子Ａまたは無線タグ識別子Ｂであるか否かを判定する。
【００３１】
無線タグ識別子判定部２０２は、通信部２０１を介して受信した電波に含まれる無線タグ識別子が管理対象とする無線タグ１０の無線タグ識別子ではないと判定した場合（ステップＳ５、ＮＯ）、ステップＳ４の処理に戻す。
【００３２】
また、無線タグ識別子判定部２０２は、通信部２０１を介して受信した電波に含まれる無線タグ識別子が管理対象とする無線タグ１０の無線タグ識別子であると判定した場合（ステップＳ５、ＹＥＳ）、顔画像取得部２０３は、見守り対象者の顔を含む画像の撮影を開始する（ステップＳ６）。そして、顔画像取得部２０３は、撮影した画像内に顔を検出するか否かを判定する（ステップＳ７）。
顔画像取得部２０３は、撮影した画像内に顔を検出しないと判定した場合（ステップＳ７、ＮＯ）、ステップＳ５の処理に戻す。
また、顔画像取得部２０３は、撮影した画像内に顔を検出したと判定した場合（ステップＳ７、ＹＥＳ）、顔を含む画像を取得する（ステップＳ８）。具体的には、顔画像取得部２０３は、携帯端末２０の表面と裏面の両面に備えられるカメラのそれぞれが撮影を開始し、画像内に顔を検出する。そして、顔画像取得部２０３は、検出した顔を含む画像を取得する。
【００３３】
顔画像送信部２０４は、設定情報に基づいて、顔画像取得部２０３が取得した見守り対象者の顔を含む画像を通信部２０１を介して、管理対象とする無線タグ１０の無線タグ識別子に関連付けされた通信装置４０に送信する（ステップＳ９）。例えば、電波に含まれる無線タグ識別子が無線タグ識別子Ａである場合に、顔画像送信部２０４は、顔画像取得部２０３が取得した顔を含む画像を無線タグ識別子Ａに関連付けされた通信装置４０のアドレスＡを有する通信装置４０に送信する。
なお、顔画像送信部２０４は、見守り対象者の顔を含む画像を通信装置４０に送信した後、所定時間経過した場合にのみ当該見守り対象者の顔を含む画像を通信部２０１を介して通信装置４０に送信するものであってよい。顔画像送信部２０４は、見守り対象者の顔を含む画像を通信装置４０に送信した後、所定時間経過していない場合、所定時間経過した時に見守り対象者の顔を含む画像を通信部２０１を介して通信装置４０に送信する。
【００３４】
また、顔画像送信部２０４は、顔を含む画像を設定情報に含まれる通信装置４０のアドレスに送信した場合、通信装置４０のアドレスに顔を含む画像を送信したことを示す画像送信済信号と顔を含む画像とを通信部２０１を介して管理装置３０に送信する（ステップＳ１０）。
【００３５】
通信装置４０は、携帯端末２０から顔を含む画像を受信し表示する（ステップＳ１１）。
管理装置３０が備える送信先管理部３０３は、顔画像送信部２０４が見守り対象者の顔を含む画像を送信した通信装置４０と、顔を含む画像とを記憶部３０４に記録する（ステップＳ１２）。具体的には、送信先管理部３０３は、携帯端末２０から画像送信済信号と顔を含む画像とを受信すると、画像送信済信号を受信した時刻（年月日時分秒）と、顔を含む画像を送信済みであることを示す画像送信済フラグ１を記憶部３０４に記録する。また、送信先管理部３０３は、顔を含む画像を対応する無線タグ識別子に関連付けて記憶部３０４に記録する。
【００３６】
以上、本発明の第一の実施形態による見守りシステム１が行う処理について説明した。上述の見守りシステム１において、無線タグ識別子判定部２０２は、通信部２０１を介して受信した電波に含まれる無線タグ識別子が管理対象とする無線タグ１０の無線タグ識別子であるか否かを判定する。無線タグ識別子判定部２０２は、通信部２０１を介して受信した電波に含まれる無線タグ識別子が管理対象とする無線タグ１０の無線タグ識別子であると判定した場合、顔画像取得部２０３は、見守り対象者の顔を含む画像の撮影を開始し取得する。顔画像取得部２０３は、検出した顔を含む画像を取得する。顔画像送信部２０４は、設定情報に基づいて、顔画像取得部２０３が取得した見守り対象者の顔を含む画像を通信部２０１を介して、管理対象とする無線タグ１０の無線タグ識別子に関連付けされた通信装置４０に送信する。また、顔画像送信部２０４は、顔を含む画像を設定情報に含まれる通信装置４０のアドレスに送信した場合、通信装置４０のアドレスに顔を含む画像を送信したことを示す画像送信済信号を通信部２０１を介して管理装置３０に送信する。通信装置４０は、携帯端末２０から顔を含む画像を受信し表示する。管理装置３０が備える送信先管理部３０３は、顔画像送信部２０４が見守り対象者の顔を含む画像を送信した通信装置４０を記憶部３０４に記録する。
このようにすれば、親は、自分の子供の顔を含む画像で子供の存在を確認することができ、また、画像を子供の成長記録などの記念画像として収集することができる。親は子供の顔を目視して確認できるため安心度が高まる。また、親は、自分と別行動しているときにも子供の画像を収集でき、普段とは違う子供の画像を取得できる満足感が高まる。
【００３７】
＜第二の実施形態＞
第二の実施形態による見守りシステム１ａは、図２で示した第一の実施形態による見守りシステム１と同様に、無線タグ１０（１０ａ、１０ｂ、１０ｃ、・・・）と、携帯端末２０（２０ａ、２０ｂ、２０ｃ、・・・）と、管理装置３０と、通信装置４０と、を備える。
ただし、第二の実施形態において、無線タグ識別子送信部３０２は、管理対象とする無線タグ１０に関連付けられた当該見守り対象者の顔画像を携帯端末２０に送信する。
顔画像取得部２０３は、無線タグ識別子送信部３０２から受信した見守り対象者の顔画像の顔を含む画像を取得する。
また、記憶部３０４は、第一の実施形態による記憶部３０４が記憶するデータテーブルＴＢＬ１のデータに加え、図８に示すように、各幼稚園児の顔画像を記憶している。
【００３８】
次に、第二の実施形態による見守りシステム１ａの処理フローについて説明する。
ここでは、幼稚園の先生が教室の中央に置かれた幼稚園児の目線程度の高さの台に携帯端末２０を設置する。無線タグ１０を所持する各幼稚園児が外で遊んだ後、教室に戻る。教室に戻った幼稚園児が携帯端末２０に近づき、通信範囲に入ると、携帯端末２０は幼稚園児が所持する無線タグ１０から電波を受信し幼稚園児の顔を含む画像を取得する。携帯端末２０は、取得した画像を幼稚園児の親が所持する通信装置４０に送信する。このような場合を例に、図９に示すような、見守りシステム１ａの処理フローを説明する。
【００３９】
携帯端末２０は見守りシステム１の専用アプリケーションがインストールされている。専用アプリケーションには、予めすべてのクラスの幼稚園児が所持する無線タグ１０と、無線タグ１０の無線タグ識別子と、幼稚園児の氏名と、幼稚園児の親が所持する通信装置４０のアドレスと、管理対象であるか否かを示すフラグと、通信装置４０に画像を送信したか否かを示すフラグと、画像の送信時刻とが関連付けられて登録されている。このような状況で、幼稚園の先生は、自分が担当するクラスの幼稚園児のみを管理対象とするために、専用アプリケーションにより携帯端末２０の表示画面に示される幼稚園児の一覧から幼稚園児を選択して登録する操作を行う。すると、携帯端末２０は、専用アプリケーションにより、幼稚園の先生が選択した幼稚園児を示す識別情報を通信部２０１を介して管理装置３０に送信する。管理装置３０が備える無線タグ識別子送信部３０２は、携帯端末２０から受信した幼稚園児の識別情報に基づいて、記憶部３０４が記憶するデータテーブルＴＢＬ２において管理対象であることを示すフラグを１にすると共に、記憶部３０４から管理対象の無線タグ識別子と、管理対象の無線タグ識別子に関連付けられた通信装置４０のアドレスと、画像の送信時刻と、幼稚園児顔画像と、を読み出す。無線タグ識別子送信部３０２は、記憶部３０４から読み出した管理対象である無線タグ識別子と、管理対象である通信装置４０のアドレスと、画像の送信時刻と、幼稚園児顔画像とから成る登録情報を携帯端末２０に送信する（ステップＳ１３）。携帯端末２０は、管理装置３０から受信した登録情報に基づいて、専用アプリケーションを用いて管理対象である無線タグ１０を設定する（ステップＳ１４）。例えば、携帯端末２０は、図８で示した管理対象を示すフラグが１である無線タグＡを所持する幼稚園児Ａと無線タグＢを所持する幼稚園児Ｂとを登録する。
幼稚園の先生は、教室の中央に置かれた幼稚園児の目線程度の高さの台に携帯端末２０を設置する。
そして、第二の実施形態による見守りシステム１ａは、第一の実施形態による見守りシステム１と同様に、ステップＳ３〜ステップＳ５の処理を行う。
【００４０】
無線タグ識別子判定部２０２は、ステップＳ５の処理において、通信部２０１を介して受信した電波に含まれる無線タグ識別子が管理対象とする無線タグ１０の無線タグ識別子ではないと判定した場合（ステップＳ５、ＮＯ）、ステップＳ４の処理に戻す。
【００４１】
また、無線タグ識別子判定部２０２は、ステップＳ５の処理において、通信部２０１を介して受信した電波に含まれる無線タグ識別子が管理対象とする無線タグ１０の無線タグ識別子であると判定した場合（ステップＳ５、ＹＥＳ）、顔画像取得部２０３は、見守り対象者の顔を含む画像の撮影を開始する（ステップＳ６）。そして、顔画像取得部２０３は、撮影した画像内に顔を検出するか否かを判定する（ステップＳ７）。
顔画像取得部２０３は、撮影した画像内に顔を検出しないと判定した場合（ステップＳ７、ＮＯ）、ステップＳ５の処理に戻す。
また、顔画像取得部２０３は、撮影した画像内に顔を検出したと判定した場合（ステップＳ７、ＹＥＳ）、顔を含む画像を取得する（ステップＳ１５）。具体的には、顔画像取得部２０３は、携帯端末２０の表面と裏面の両面に備えられるカメラのそれぞれが撮影を開始し、設定情報に含まれる幼稚園児顔画像と同一の顔を顔の特徴点を比較するなどの技術を用いて画像内で検出する。そして、顔画像取得部２０３は、検出した顔を含む画像を取得する。
【００４２】
そして、第二の実施形態による見守りシステム１ａは、第一の実施形態による見守りシステム１と同様に、ステップＳ９〜ステップＳ１２の処理を行う。
【００４３】
以上、本発明の第二の実施形態による見守りシステム１ａが行う処理について説明した。上述の見守りシステム１ａにおいて、無線タグ識別子送信部３０２は、管理対象とする無線タグ１０に関連付けられた当該見守り対象者の顔画像を携帯端末２０に送信する。顔画像取得部２０３は、無線タグ識別子送信部３０２から受信した見守り対象者の顔画像の顔を含む画像を取得する。また、記憶部３０４は、第一の実施形態による記憶部３０４が記憶するデータテーブルＴＢＬ１のデータに加え、各幼稚園児の顔画像を記憶している。
このようにすれば、顔画像取得部２０３は、より確実に見守り対象者の顔画像を取得することができる。そして、親は、自分の子供の顔を含む画像で子供の存在を確認することができ、また、画像を子供の成長記録などの記念画像として収集することができる。親は子供の顔を目視して確認できるため安心度が高まる。また、親は、自分と別行動しているときにも子供の画像を収集でき、普段とは違う子供の画像を取得できる満足感が高まる。
【００４４】
なお、上述の実施形態において、顔画像取得部２０３は、電波に含まれる無線タグ識別子が管理対象とする無線タグ１０の無線タグ識別子であると無線タグ識別子判定部２０２が判定した場合に、連続して撮影していた見守り対象者の顔を含む画像を有効にすることにより取得するものであってもよい。このようにすれば、顔画像取得部２０３は、より確実に見守り対象者の顔画像を取得することができる。そして、親は、自分の子供の顔を含む画像で子供の存在を確認することができ、また、画像を子供の成長記録などの記念画像として収集することができる。
【００４５】
また、上述の実施形態において、顔画像取得部２０３は、所定方向の顔を含む画像を取得するものであってもよい。例えば、携帯端末２０は、顔画像特定部２０６を備え、顔画像特定部２０６は、顔画像取得部２０３が取得した見守り対象者の顔を含む画像から、所定方向の顔を含む画像を特定する。また、例えば、携帯端末２０は、撮影中に所定方向の顔を含む画像を特定する顔画像特定部２０６を備え、顔画像特定部２０６が撮影中に所定方向の顔を含む画像を特定した場合に、顔画像取得部２０３が所定方向の顔を含む画像を取得するものであってもよい。なお、所定方向の顔を含む画像は、例えば、正面の顔を含む画像である。
【００４６】
また、上述の実施形態において、顔画像送信部２０４は、顔画像特定部２０６が特定した所定方向の顔を含む画像を通信装置４０に送信するものであってもよい。
また、上述の実施形態において、顔画像送信部２０４は、顔画像取得部２０３が連続して撮影していた見守り対象者の顔を含む画像の中から、顔画像特定部２０６が所定方向の顔を含む画像を特定した場合に、当該顔を含む画像を通信装置４０に送信するものであってもよい。
【００４７】
また、上述の実施形態において、携帯端末２０は報知部２０７を備え、顔画像取得部２０３が取得した見守り対象者の顔を含む画像が、無線タグ識別子送信部から受信した見守り対象者の顔画像の顔を含まない場合に、報知部２０７が携帯端末２０の向きを変更するように報知するものであってもよい。このようにすれば、気付かぬうちに携帯端末２０が台からずれてカメラが天井方向に向くなど、顔画像取得部２０３が見守り対象者の顔を含む画像を取得できない状況であることをユーザに報知することができる。
【００４８】
また、上述の実施形態において、携帯端末２０は、電波強度測定部２０８を備え、電波強度測定部２０８が電波の電波強度を測定する。携帯端末２０を乗せた回転台は、電波強度測定部２０８が測定する所定以上の電波強度に基づいて、電波強度の強い方向に携帯端末２０が向くように回転する。このようにすれば、顔画像取得部２０３は、見守り対象者の顔を含む画像をより確実に取得することができる。
【００４９】
また、上述の実施形態において、携帯端末２０の表面と裏面の両面に備えられるカメラのそれぞれが撮影するものとしたが、それに限定するものではない。例えば、携帯端末２０の表面と裏面の何れか１つのカメラが撮影するものであってもよい。例えば、幼稚園の教室の角や壁際に携帯端末２０を設置する場合、携帯端末２０の表面と裏面の何れか１つのカメラが見守り対象者の顔を含む画像を撮影するものであってよい。また、１つのカメラの場合、顔画像取得部２０３は、所定の顔画像が正面に来た時に画像を取得するものであってよい。このようにすれば、携帯端末２０において無駄なバッテリの消費を低減することができる。
【００５０】
また、上述の実施形態において、無線タグ１０と、携帯端末２０と、管理装置３０と、通信装置４０のそれぞれは、可能な範囲で機能部の組み合わせを変更可能である。実施形態による見守りシステム１において、機能部の組み合わせを変更した無線タグ１０と、携帯端末２０と、管理装置３０と、通信装置４０のそれぞれが動作するものであってよい。
【００５１】
なお、本発明における記憶部１０３と、記憶部２０５と、記憶部３０４は、適切な情報の送受信が行われる範囲においてどこに備えられていてもよい。また、記憶部１０３と、記憶部２０５と、記憶部３０４は、適切な情報の送受信が行われる範囲において複数存在しデータを分散して記憶していてもよい。
【００５２】
なお本発明の実施形態における処理フローは、適切な処理が行われる範囲において、処理の順番が入れ替わってもよい。
【００５３】
なお本発明の実施形態について説明したが、上述の無線タグ１０、携帯端末２０及び管理装置３０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５５】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００５６】
１０・・・無線タグ
２０・・・携帯端末
３０・・・管理装置
４０・・・通信装置
１０１、２０１、３０１・・・通信部
１０２・・・電波送信部
１０３、２０５、３０４・・・記憶部
２０２・・・無線タグ識別子判定部
２０３・・・顔画像取得部
２０４・・・顔画像送信部
２０６・・・顔画像特定部
２０７・・・報知部
２０８・・・電波強度測定部
３０２・・・無線タグ識別子送信部
３０３・・・送信先管理部
【図１】
0006544788.tif 000002
【図２】
0006544788.tif 000003
【図３】
0006544788.tif 000004
【図４】
0006544788.tif 000005
【図５】
0006544788.tif 000006
【図６】
0006544788.tif 000007
【図７】
0006544788.tif 000008
【図８】
0006544788.tif 000009
【図９】
0006544788.tif 000010